(57)【要約】【課題】  有機エレクトロルミネッセンス素子を利用した発光装置において、逆方向電圧の印加を簡易な構成で実現することが可能な技術を提供する。【解決手段】  本発明で具現化される発光装置は、電源と、有機エレクトロルミネッセンス素子と、コンデンサとを備えている。その発光装置では、点灯時に、前記電源を用いて前記有機エレクトロルミネッセンス素子に順方向電圧を印加すると共に前記コンデンサを充電し、消灯時に、前記電源を用いることなく前記コンデンサを用いて前記有機エレクトロルミネッセンス素子に逆方向電圧を印加する。【選択図】  図１
2006339122.tif 000002
【特許請求の範囲】
【請求項１】
電源と、有機エレクトロルミネッセンス素子と、コンデンサとを備え、
点灯時に、前記電源を用いて前記有機エレクトロルミネッセンス素子に順方向電圧を印加すると共に前記コンデンサを充電し、
消灯時に、前記電源を用いることなく前記コンデンサを用いて前記有機エレクトロルミネッセンス素子に逆方向電圧を印加する
ことを特徴とする発光装置。
【請求項２】
前記電源は定電流源である、請求項１の発光装置。
【請求項３】
前記コンデンサの２つの端子のうち、前記有機エレクトロルミネッセンス素子の陽極に接続する端子を切り替える第１スイッチと、
前記コンデンサの２つの端子のうち、前記有機エレクトロルミネッセンス素子の陰極に接続する端子を切り替える第２スイッチと
をさらに備え、
点灯時に、前記第１スイッチは前記有機エレクトロルミネッセンス素子の陽極が前記コンデンサの一方の端子と接続する状態に切替わり、前記第２スイッチは前記有機エレクトロルミネッセンス素子の陰極が前記コンデンサの他方の端子と接続する状態に切替わり、
消灯時に、前記第１スイッチは前記有機エレクトロルミネッセンス素子の陽極が前記コンデンサの前記他方の端子に接続する状態に切替わり、前記第２スイッチは前記有機エレクトロルミネッセンス素子の陰極が前記コンデンサの前記一方の端子に接続する状態に切替わる、
ことを特徴とする、請求項１または２の発光装置。
【請求項４】
パルス駆動によって点灯と消灯を交互に繰り返す、請求項１の発光装置。
【発明の詳細な説明】
【技術分野】
【０００１】
本発明は、有機エレクトロルミネッセンス素子（以下、適宜、有機ＥＬ素子と表記することもある。）を利用した発光装置に関する。詳しくは、簡素な装置構成で有機ＥＬ素子を発光させない期間に逆方向電圧を印加する発光装置に関する。
【背景技術】
【０００２】
有機ＥＬ素子は、有機発光層と、その有機発光層をはさむ一対の陽極と陰極を備えた発光素子である。有機ＥＬ素子の発光は、陰極に対して陽極が高電位となるように（すなわち順方向に）、発光しきい値電圧を超える電圧が印加されることによって生じる。そのような電圧が印加されると、陽極から有機発光層へ正孔が注入され、陰極から有機発光層へ電子が注入されて、有機発光層中の発光体が励起されて、有機ＥＬ素子は発光する。
【０００３】
有機ＥＬ素子は、低電力で高輝度の発光が可能であり、応答速度が速く、低電圧の直流電流で動作可能なことから、電子機器のディスプレイ用の光源としての利用が期待されている。
【０００４】
有機ＥＬ素子を利用した発光装置では、長時間の使用による発光強度の低下が問題となる。この発光強度の低下は、有機発光層の界面において、電荷がトラップ等により蓄積することが原因と考えられている。上記のような電荷の蓄積に伴う有機ＥＬ素子の発光強度の低下に対しては、有機ＥＬ素子へ陽極が陰極に対して低電位となるように（すなわち逆方向に）電圧を印加することが有効であることが従来から知られている。
【０００５】
例えば特許文献１には、有機ＥＬ素子を用いた発光装置において、有機ＥＬ素子に発光とは逆方向の電圧を印加する手段を有する発光装置が開示されている。
【特許文献１】特開平３−１１０７８６号公報
【発明の開示】
【発明が解決しようとする課題】
【０００６】
液晶ディスプレイを搭載する機器の軽量化や、表示する画像の高精細化に伴い、有機ＥＬ素子を利用した発光装置のさらなる軽量化・小型化が望まれている。発光装置を軽量化・小型化するためには、装置の構成をより簡易なものとする必要がある。従って、有機ＥＬ素子への逆方向電圧の印加も、可能な限り簡易な構成で実現することが要望される。
【０００７】
特許文献１に記載の技術では、発光のための電源と、逆方向電圧の印加のための電源を別個に設けている。そのため、発光装置の構成が複雑になるとともに、発光装置の大型化につながるという問題がある。より簡易な構成で、逆方向電圧の印加を可能とする発光装置を実現することが望ましい。
【０００８】
本発明は、上記従来の問題点を解消するためになされたものであり、有機ＥＬ素子を利用した発光装置において、有機ＥＬ素子への逆方向電圧の印加を簡易な構成で実現可能な技術を提供することを目的とする。
【課題を解決するための手段】
【０００９】
本発明で具現化される発光装置は、電源と、有機ＥＬ素子と、コンデンサとを備えている。その発光装置では、点灯時に、前記電源を用いて前記有機ＥＬ素子に順方向電圧を印加すると共に前記コンデンサを充電し、消灯時に、前記電源を用いることなく前記コンデンサを用いて前記有機ＥＬ素子に逆方向電圧を印加する。
【００１０】
本明細書では、有機ＥＬ素子の陽極が陰極に対して高電位となるような電圧の印加を「順方向電圧の印加」、陽極が陰極に対して低電位となるような電圧の印加を「逆方向電圧の印加」という。また、「逆方向電圧」を「逆バイアス」ということもある。
【００１１】
上記の発光装置では、電源から供給される電流によって、有機ＥＬ素子が発光する。その際、コンデンサにも電流が供給され、コンデンサには電荷が蓄積する。
【００１２】
その後、発光装置が消灯すると、電源を用いることなく、電荷が蓄積されたコンデンサを利用して、有機ＥＬ素子に逆方向電圧が印加される。これによって、有機ＥＬ素子の有機発光層の界面に蓄積した電荷は、コンデンサへ移動して、有機ＥＬ素子から取り除かれる。蓄積した電荷が取り除かれることによって、有機ＥＬ素子の発光強度の低下を抑制することができる。
【００１３】
本発明の発光装置では、有機ＥＬ素子に逆方向電圧を印加するための別個の電源を用いることなく、有機ＥＬ素子に逆方向電圧を印加することができる。このような構成とすることによって、有機ＥＬ素子に逆方向電圧を印加する発光装置を、簡易な構成で実現することができる。
【００１４】
上記の発光装置において、前記電源は定電流源であることが望ましい。
【００１５】
上記の発光装置は、前記コンデンサの２つの端子のうちで前記有機ＥＬ素子の陽極に接続する端子を切り替える第１スイッチと、前記コンデンサの２つの端子のうちで前記有機ＥＬ素子の陰極に接続する端子を切り替える第２スイッチとをさらに備え、（１）点灯時に、前記第１スイッチは前記有機ＥＬ素子の陽極が前記コンデンサの一方の端子と接続する状態に切替わり、前記第２スイッチは前記有機ＥＬ素子の陰極が前記コンデンサの他方の端子と接続する状態に切替わり、（２）消灯時に、前記第１スイッチは前記有機ＥＬ素子の陽極が前記コンデンサの前記他方の端子に接続する状態に切替わり、前記第２スイッチは前記有機ＥＬ素子の陰極が前記コンデンサの前記一方の端子に接続する状態に切替わることが好ましい。
【００１６】
上記の発光装置では、発光時に有機ＥＬ素子の陽極とコンデンサの一方の端子（以下では説明のため＋側端子という）が接続し、有機ＥＬ素子の陰極とコンデンサの他方の端子（以下では説明のため−側端子という）が接続して、有機ＥＬ素子とコンデンサが並列に接続される。電源から有機ＥＬ素子に順方向の電圧が印加されると、コンデンサにも同等の電圧が印加される。
【００１７】
その後、消灯時に有機ＥＬ素子の陽極とコンデンサの−側端子が接続し、有機ＥＬ素子の陰極とコンデンサの＋側端子が接続する。これによって、電源を用いることなく、コンデンサに蓄積された電荷によって、有機ＥＬ素子には陰極に対して陽極を低電位とする電圧、すなわち逆方向電圧が印加される。
【００１８】
上記のように発光装置を構成することによって、２つのスイッチを用いるだけの簡易な構成で、有機ＥＬ素子へのコンデンサの並列接続と、コンデンサによる有機ＥＬ素子への逆方向電圧の印加を実現することが可能となる。有機ＥＬ素子を利用した発光装置の構成を簡素化することができる。
【００１９】
上記の発光装置は、パルス駆動によって点灯と消灯を交互に繰り返すことが好ましい。
【００２０】
パルス駆動によって点灯と消灯を繰り返す場合、点灯時に蓄積した電荷を、その直後の消灯時に取り除くことができ、発光強度の大幅な低下を抑制することができる。上記の発光装置によれば、長期に渡って使用する場合にも発光強度を維持することができる発光装置を、簡易な構成で実現することができる。
【発明の効果】
【００２１】
本発明の発光装置によれば、有機ＥＬ素子を利用した発光装置において、有機ＥＬ素子への逆方向電圧の印加を簡易な構成で実現することができる。
【発明を実施するための最良の形態】
【００２２】
以下、本発明を具現化した実施例について図面を参照して説明する。最初に実施例の主要な特徴を列記する。
（形態１）  定電流源と、有機ＥＬ素子と、コンデンサと、第１スイッチと、第２スイッチと、第３スイッチとを備え、
前記定電流源の正極端子は前記第３スイッチを介して前記有機ＥＬ素子の陽極に接続され、
前記定電流源の負極端子は前記有機ＥＬ素子の陰極に接続され、
前記コンデンサの一方の端子は、前記有機ＥＬ素子の陽極に前記第１スイッチを介して接続されるとともに、前記有機ＥＬ素子の陰極に前記第２スイッチを介して接続され、
前記コンデンサの他方の端子は、前記有機ＥＬ素子の陽極に前記第１スイッチを介して接続されるとともに、前記有機ＥＬ素子の陰極に前記第２スイッチを介して接続され、
前記第１スイッチは、前記有機ＥＬ素子の陽極と前記コンデンサの前記一方の端子を導通する状態と、前記有機ＥＬ素子の陽極と前記コンデンサの前記他方の端子を導通する状態の間で切り替え可能であり、
前記第２スイッチは、前記有機ＥＬ素子の陰極と前記コンデンサの前記一方の端子を導通する状態と、前記有機ＥＬ素子の陰極と前記コンデンサの前記他方の端子を導通する状態の間で切り替え可能であり、
前記第３スイッチは、導通する状態と非導通する状態の間で切り替え可能である
ことを特徴とする発光装置。
【実施例】
【００２３】
（第１実施例）
以下、本発明を具現化した実施例について図面を参照しながら説明する。
【００２４】
図１に示す本実施例の発光装置１２は、定電流源１４、有機ＥＬ素子１６、コンデンサ１８を備えている。
【００２５】
有機ＥＬ素子１６は、有機発光層と、その有機発光層を挟んだ一対の陽極２６と陰極２８を備えている。
【００２６】
有機ＥＬ素子１６は、例えば、基板上に形成された陽極２６、有機発光層及び陰極２８により構成されている。本実施例の有機ＥＬ素子１６は、有機発光層からの発光が基板側から取り出されるボトムエミッションタイプに形成されている。
【００２７】
基板は有機ＥＬ素子１６を支持するための板状の部材であり、取り出す光に対して高い透過率を示す透明基板が用いられる。このような基板としては、例えば、可視光領域で高い透過率を示すガラス基板や、透明なアクリル樹脂等を用いることができる。
【００２８】
陽極２６は導電性の金属酸化物系材料で形成されており、例えば、ＩＴＯ（インジウム錫酸化物）や、ＩＺＯ（インジウム亜鉛酸化物）、ＺｎＯ（酸化亜鉛）、ＳｎＯ２（酸化錫）等を用いることができる。
【００２９】
有機発光層としては、Ａｌｑ３等の発光材料を用いることで、赤色、緑色、青色、黄色等の単色光を示す構成のものや、それらの組み合わせによる発光色、例えば、白色発光を示す構成のもの等を用いることができる。白色を示す構成としては、発光層を２層や３層に積層させる積層型や、１層の発光層に異なる発光材料を混合させる混合型、１層を面内方向のエリアに分けて異なる発光層を塗り分ける塗り分け型、等が挙げられる。
【００３０】
また、電荷（正孔、電子）注入層、電荷輸送層、ブロック層等の機能層を適宜組み合わせることもできる。
【００３１】
陰極２８には、例えば、アルミニウム、金、銀、銅、クロム等の金属やこれらの合金である少なくとも可視光に対して反射性を有する反射電極を用いることができる。
【００３２】
陰極２８より外側には、有機発光層を酸素及び水分から保護するための保護部を設けることができる。保護部は、パッシベーション膜や封止缶、又はそれらの組み合わせ等で構成される。
【００３３】
陰極２６、有機発光層、陽極２８及び保護部の形成には、真空蒸着法、スパッタ法等の公知の薄膜形成法を適宜使用することができる。
【００３４】
有機ＥＬ素子１６に順方向電圧が印加されると、有機発光層に正孔と電子が注入されて発光する。長時間の発光により、有機発光層の界面に電荷が蓄積し、発光強度が低下していく。しかし、陽極２６を陰極２８に対して低電位とする電圧（逆バイアス）を印加することで、有機発光層の界面に蓄積した電荷を取り除くことができる。
【００３５】
コンデンサ１８は一般的に利用されているコンデンサであればよく、有機ＥＬ素子１６の消灯時に逆バイアスを印加する上で充分な電荷を蓄積することができるものであればよい。
【００３６】
定電流源１４は正極端子と負極端子を備え、正極端子から負極端子へ向けて直流の定電流を供給する。定電流源１４の正極端子は、スイッチ２０を介して、有機ＥＬ素子１６の陽極２６に接続されている。スイッチ２０は導通と非導通の状態で切替わる。有機ＥＬ素子１６の陰極２８は、定電流源１４の負極端子に接続されている。本実施例の発光装置１２は、スイッチ２０を導通する状態に切り替えることで点灯し、スイッチ２０を非導通の状態に切り替えることで消灯する。
【００３７】
有機ＥＬ素子１６には、スイッチ２２、２４を介して、コンデンサ１８が並列に接続されている。スイッチ２２は切り替えスイッチであり、ａｂ間を導通する状態と、ａｃ間を導通する状態との間で切替わる。スイッチ２４は切り替えスイッチであり、ａ’ｂ’間を導通する状態と、ａ’ｃ’間を導通する状態との間で切替わる。有機ＥＬ素子１６の陽極２６は、スイッチ２２のａ端子に接続されている。有機ＥＬ素子１６の陰極２８は、スイッチ２４のａ’端子に接続されている。コンデンサ１８の一方の端子ｅは、スイッチ２２のｂ端子と、スイッチ２４のｃ’端子に接続されている。コンデンサ１８の他方の端子ｆは、スイッチ２２のｃ端子と、スイッチ２４のｂ’端子に接続されている。
【００３８】
スイッチ２２がａｂ端子間を導通し、スイッチ２４がａ’ｂ’端子間を導通する状態では、有機ＥＬ素子１６とコンデンサ１８が並列に接続される。また、スイッチ２２がａｃ端子間を導通し、スイッチ２４がａ’ｃ’端子間を導通する状態では、有機ＥＬ素子１６とコンデンサ１８が極性を逆転させた状態で並列に接続される。
【００３９】
スイッチ２０、２２、２４は、互いに同期して状態が変化する。本実施例の発光装置１２におけるスイッチ２０、２２、２４の状態の経時的な遷移の例を図２に示す。スイッチ２０が導通する状態に切替わると、スイッチ２２、２４はそれぞれａｂ間、ａ’ｂ’間を導通する状態に切替わる。またスイッチ２０が非導通の状態に切替わると、スイッチ２２、２４はそれぞれａｃ間、ａ’ｃ’間を導通する状態に切替わる。
【００４０】
スイッチ２０と、スイッチ２２、２４を同期させる手法は、どのようなものでもよい。例えば、スイッチ２２、２４をスイッチ２０と機械的に連動して状態が切り替わるように構成してもよいし、スイッチ２０、２２、２４が常に同期して状態が切替わるようにそれぞれのスイッチを操作してもよい。
【００４１】
以下では本実施例の発光装置１２の動作を説明する。
【００４２】
発光装置１２を発光させる際には、スイッチ２０を導通の状態に切り替える。スイッチ２０が導通の状態にされると同時に、スイッチ２２、２４がそれぞれａｂ間、ａ’ｂ’間を導通する状態にされて、定電流源１４から有機ＥＬ素子１６とコンデンサ１８に電流が供給される。発光装置１２による発光を開始した直後は、コンデンサ１８に電荷が蓄積されていないため、ＸＹ間の電圧は０であり、コンデンサ１８への電荷の蓄積に伴ってＸＹ間の電圧は上昇していく。ＸＹ間の電圧が発光しきい値電圧に達するまでは、有機ＥＬ素子１６は発光することなく、ほとんど電流を流さないため、定電流源１４から供給される電流は主にコンデンサ１８にのみ供給される。ＸＹ間の電圧が上昇し、有機ＥＬ素子１６の発光しきい値電圧を超えると、有機ＥＬ素子１６にも電流が供給され、発光が開始される。発光が開始されると、有機ＥＬ素子１６の電圧はほぼ一定に保たれる。従って、コンデンサ１８の電圧は有機ＥＬ素子１６の電圧に維持されるため、コンデンサ１８へ電荷が供給されなくなり、定電流源１４から供給される電流のほとんどは、有機ＥＬ素子１６に供給されるようになる。定電流源１４から供給される電流の強さに応じた発光強度で、有機ＥＬ素子１６は発光する。
【００４３】
発光装置１２による発光を終了する際には、スイッチ２０が非導通の状態にされ、それと同期してスイッチ２２、２４がそれぞれａｃ間、ａ’ｃ’間を導通する状態に切り替えられる。定電流源１４からの電流の供給が停止され、有機ＥＬ素子１６の発光は終了する。
【００４４】
このとき、スイッチ２２、２４が、それぞれａｃ間、ａ’ｃ’間を導通する状態に切り替えられたことで、電荷が蓄積したコンデンサ１８によって、有機ＥＬ素子１６に逆バイアスが印加される。これによって、有機ＥＬ素子１６の有機発光層の界面に蓄積した電荷は、コンデンサ１８へ移動し、有機ＥＬ素子１６から取り除かれる。
【００４５】
その後、再び発光装置１２を発光させる際には、スイッチ２０が導通の状態にされ、定電流源１４から電流が再度供給され、有機ＥＬ素子１６は発光する。スイッチ２０に同期して、スイッチ２２、２４もそれぞれａｂ間、ａ’ｂ’間を導通する状態に切替わり、コンデンサ１８への電荷の蓄積も再度行われる。
【００４６】
２回目以降の発光では、コンデンサ１８にはすでにある程度の電荷が蓄積されている。有機ＥＬ素子１６への逆バイアスの印加によっては、コンデンサ１８に蓄積された電荷はほとんど減少しない。したがって、発光装置１２を再度発光させる場合、コンデンサ１８への電荷蓄積に要する時間は短縮されるため、スイッチ２０を導通の状態にしてから有機ＥＬ素子１６が発光するまでの時間は短縮される。
【００４７】
本実施例の発光装置１２は、スイッチ２０が６０Ｈｚ以上の周波数のパルスでパルス駆動されて、上記した点灯と消灯を繰り返す。一般に、６０Ｈｚ以上の周波数で点灯と消灯を繰り返せば、人間の目には連続的に点灯しているように見え、照明装置として使用することができる。
【００４８】
上記のように、有機ＥＬ素子１６に並列に接続されたコンデンサ１８を利用することで、電源からの電力供給を受けることなく、有機ＥＬ素子１６に逆バイアスを印加することができる。
【００４９】
上記したコンデンサを用いた逆バイアスの印加は、定電流源を用いた駆動の際に特に有効である。
【００５０】
有機ＥＬ素子は、供給される電流の強さに応じて、発光する光の強さが変化する。従って、発光する光の強さを直接的に制御するために、定電流源を用いて駆動されることがある。
【００５１】
しかしながら、有機ＥＬ素子への逆バイアスの印加に定電流源を利用しようとすると、逆バイアスに対する有機ＥＬ素子のインピーダンスが極めて大きいために、逆バイアスとして過大な電圧が印加され、有機ＥＬ素子の耐久性を著しく損ねてしまう。このような事態を防止するためには、発光のための電源とは別に逆バイアスを印加するための定電圧源を別途用意するか、適切な電圧調整手段を設ける必要があるが、発光装置へ定電圧源や電圧調整手段を追加することは、装置構成の複雑化・大型化を招いてしまう。
【００５２】
本発明の発光装置１２によれば、点灯時に電荷が蓄積されたコンデンサ１８を利用して逆バイアスを印加するため、逆バイアスとして印加される電圧は有機ＥＬ素子１６の発光しきい値電圧と同程度に抑えられ、逆バイアスのための定電圧源や電圧調整手段を必要としない。従って、装置構成の簡素化をはかることができる。
【００５３】
（第１実施例の変形例）
本実施例の変形例を図３に示す。
【００５４】
図３に示す発光装置３２は、発光装置１２において定電流源１４の代わりに、定電圧源３４を用いたものである。
【００５５】
以下では発光装置３２の動作を説明する。
【００５６】
発光装置３２を発光させる際には、スイッチ２０を導通の状態に切り替える。スイッチ２０が導通の状態にされると同時に、スイッチ２２、２４がそれぞれａｂ間、ａ’ｂ’間を導通する状態にされて、定電圧源３４から有機ＥＬ素子１６とコンデンサ１８に電流が供給される。定電圧源３４によって、ＸＹ間に発光しきい値電圧を超える電圧が印加されて、有機ＥＬ素子１６は発光する。それと同時に、コンデンサ１８に電荷が蓄積される。
【００５７】
発光装置３２による発光を終了する際には、スイッチ２０が非導通の状態にされ、それと同期してスイッチ２２、２４が切り替えられる。定電圧源３４からの電流の供給が停止され、有機ＥＬ素子１６の発光は終了する。
【００５８】
このとき、スイッチ２２、２４が、それぞれａｃ間、ａ’ｃ’間を導通する状態に切り替えられ、電荷が蓄積したコンデンサ１８によって、有機ＥＬ素子１６に逆バイアスが印加される。これによって、有機ＥＬ素子１６の有機発光層の界面に蓄積した電荷は、コンデンサ１８へ移動し、有機ＥＬ素子１６から取り除かれる。
【００５９】
その後、再び発光装置３２を発光させる際には、スイッチ２０が導通の状態にされ、定電圧源３４から電流が再度供給され、有機ＥＬ素子１６は発光する。スイッチ２０に同期して、スイッチ２２、２４もそれぞれａｂ間、ａ’ｂ’間を導通する状態に切替わり、コンデンサ１８への電荷の蓄積も再度行われる。
【００６０】
上記のように、発光装置３２においても、有機ＥＬ素子１６に並列に接続されたコンデンサ１８を利用することで、電源からの電力供給を受けることなく、有機ＥＬ素子１６に逆バイアスを印加することができる。
【００６１】
上記した発光装置３２では、スイッチ２０を導通の状態に切り替えると、コンデンサ１８への最初の電荷の蓄積を待つことなく、即座に有機ＥＬ素子１６を発光させることができる。装置の初動時であっても、即座に発光することが可能であり、応答速度が速い。
【００６２】
なお、有機ＥＬ素子１６はボトムエミッションタイプに形成されているが、有機発光層からの発光が基板とは反対側から取り出されるトップエミッションタイプに形成されていてもよい。この場合、基板としては、ガラス基板等の透明電極でもよく金属基板のように不透明な基板を用いてもよい。ただし、光の取り出し側に形成される電極及び保護部は透明に形成される必要がある。
【００６３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００６４】
【図１】図１は発光装置１２の構成を模式的に示す図である。（第１実施例）
【図２】図２はスイッチ２０、２２、２４の状態遷移を示す図である。（第１実施例）
【図３】図３は発光装置３２の構成を模式的に示す図である。（第１実施例の変形例）
【符号の説明】
【００６５】
１２・・・発光装置
１４・・・定電流源
１６・・・有機ＥＬ素子
１８・・・コンデンサ
２０、２２、２４・・・スイッチ
２６・・・陽極
２８・・・陰極
３２・・・発光装置
３４・・・定電圧源
【図１】
2006339122.tif 000003
【図２】
2006339122.tif 000004
【図３】
2006339122.tif 000005